(57)【要約】【課題】操作部に端子を設置する作業の作業性を向上させつつ、低価格化すること。【解決手段】接続線（３７）の一端に支持されて操作部本体（２）の外部に露出可能な一端側の端子部（３８）と、接続線（３７）の他端に支持されて画像形成装置の本体（Ｕ２）の端子接続部に接続される他端側の端子部（３９）と、一端側の端子部（３８）に支持された装着部（４１）と、を有する接続部材（３６）と、画像形成装置の本体（Ｕ２）に支持された操作部本体（２）に支持され、且つ、装着部（４１）が着脱可能に装着される被装着部（１１）と、を備えた画像形成装置（Ｕ）。【選択図】図５
2012123067.tif 000002
【特許請求の範囲】
【請求項１】
媒体に画像を形成する画像形成装置の本体と、
操作者が操作可能な操作部を有し、前記画像形成装置の本体に支持された操作部本体と、
線状に延びる接続線と、前記接続線の一端に支持されて前記操作部本体の外部に露出可能な一端側の端子部と、前記接続線の他端に支持されて前記画像形成装置の本体の端子接続部に接続される他端側の端子部と、前記一端側の端子部に支持された装着部と、を有する接続部材と、
前記操作部本体に支持され、且つ、前記装着部が着脱可能に装着される被装着部と、
を備えたことを特徴とする画像形成装置。
【請求項２】
前記被装着部に支持されると共に、前記被装着部に装着された前記装着部に予め設定された圧力で接触して、前記装着部のガタつきを除去するガタつき除去部、
を備えたことを特徴とする請求項１に記載の画像形成装置。
【請求項３】
導電性の材料により構成された導電部を有する前記一端側の端子部と、
前記導電部に接触する端子接触部を有し、導電性の材料により構成された前記装着部と、
前記被装着部に設けられ、且つ、導電性の材料により構成され、前記装着部に接触する装着接触部と、
を備えたことを特徴とする請求項１または２に記載の画像形成装置。
【請求項４】
導電性の材料により構成された導電部を有する前記一端側の端子部と、
前記導電部に接触して電気的に接続する端子接触部を有し、導電性の材料により構成された前記装着部と、
前記被装着部に装着された前記装着部を押した状態で接触して前記装着部のガタつきを除去すると共に電気的に接続する装着接触部を有し、導電性の材料により構成された前記被装着部と、
を備えたことを特徴とする請求項１に記載の画像形成装置。
【請求項５】
前記被装着部に設けられ、且つ、前記一端側の端子部の外端よりも外方に配置され、導電性の材料により構成された外側導通部と、
を備えたことを特徴とする請求項１ないし４のいずれかに記載の画像形成装置。
【請求項６】
前記装着部に設けられた被干渉部と、
前記被装着部に設けられた干渉部であって、前記装着部が前記被装着部に装着される際に、前記装着部の前記被干渉部が前記干渉部に対応する位置である場合には、前記被干渉部が前記干渉部に嵌って前記装着部の前記被装着部への装着可能となると共に、前記被干渉部が前記干渉部と異なる位置である場合には、前記干渉部が前記被装着部に干渉して前記装着部の前記被装着部への装着が規制される前記干渉部と、
を備えたことを特徴とする請求項１ないし５のいずれかに記載の画像形成装置。
【請求項７】
前記操作部本体に支持される支持部と、前記支持部に支持される被装着部の本体と、を有する前記被装着部と、
前記被装着部の本体に設けられ、前記被装着部の本体の前記支持部からの離間を規制する離間規制部と、
を備えたことを特徴とする請求項１ないし６のいずれかに記載の画像形成装置。
【請求項８】
操作者が操作可能な操作部を有する操作部本体と、  
線状に延びる接続線の一端に支持されて前記操作部本体の外部に露出可能な一端側の端子部を有する接続部材に対して、前記一端側の端子部に支持された装着部が着脱可能に装着される装着部であって、前記操作部本体に支持された前記被装着部と、
を備えたことを特徴とする操作装置。
【発明の詳細な説明】
【技術分野】
【０００１】
本発明は、画像形成装置および操作装置に関する。
【背景技術】
【０００２】
従来の画像形成装置において、画像形成装置を利用する利用者や、画像形成装置の保守や点検等を行う作業者が、操作を行う操作部、いわゆるユーザインタフェースや操作パネルに、画像形成装置に機器や携帯可能な記憶媒体を接続するための端子を設けた構成が知られている。外部接続端子を有する画像形成装置に関し、以下の特許文献１記載の技術が従来公知である。
【０００３】
特許文献１としての特開２０１０−１６７７００号公報には、操作パネル（４０）に、外部に露出するＵＳＢ：Universal Serial Busメモリインターフェース（３７）を設けて、記憶媒体の一例としてのＵＳＢメモリが着脱可能な構成が記載されている。
【先行技術文献】
【特許文献】
【０００４】
【特許文献１】特開２０１０−１６７７００号公報（「００２１」、図１）
【発明の概要】
【発明が解決しようとする課題】
【０００５】
本発明は、操作部に端子を設置する作業の作業性を向上させつつ、低価格化することを技術的課題とする。
【課題を解決するための手段】
【０００６】
前記技術的課題を解決するために、請求項１記載の発明の画像形成装置は、
媒体に画像を形成する画像形成装置の本体と、
操作者が操作可能な操作部を有し、前記画像形成装置の本体に支持された操作部本体と、
線状に延びる接続線と、前記接続線の一端に支持されて前記操作部本体の外部に露出可能な一端側の端子部と、前記接続線の他端に支持されて前記画像形成装置の本体の端子接続部に接続される他端側の端子部と、前記一端側の端子部に支持された装着部と、を有する接続部材と、
前記操作部本体に支持され、且つ、前記装着部が着脱可能に装着される被装着部と、
を備えたことを特徴とする。
【０００７】
請求項２に記載の発明は、請求項１に記載の画像形成装置において、
前記被装着部に支持されると共に、前記被装着部に装着された前記装着部に予め設定された圧力で接触して、前記装着部のガタつきを除去するガタつき除去部、
を備えたことを特徴とする。
【０００８】
請求項３に記載の発明は、請求項１または２に記載の画像形成装置において、
導電性の材料により構成された導電部を有する前記一端側の端子部と、
前記導電部に接触する端子接触部を有し、導電性の材料により構成された前記装着部と、
前記被装着部に設けられ、且つ、導電性の材料により構成され、前記装着部に接触する装着接触部と、
を備えたことを特徴とする。
【０００９】
請求項４に記載の発明は、請求項１に記載の画像形成装置において、
導電性の材料により構成された導電部を有する前記一端側の端子部と、
前記導電部に接触して電気的に接続する端子接触部を有し、導電性の材料により構成された前記装着部と、
前記被装着部に装着された前記装着部を押した状態で接触して前記装着部のガタつきを除去すると共に電気的に接続する装着接触部を有し、導電性の材料により構成された前記被装着部と、
を備えたことを特徴とする。
【００１０】
請求項５に記載の発明は、請求項１ないし４のいずれかに記載の画像形成装置において、
前記被装着部に設けられ、且つ、前記一端側の端子部の外端よりも外方に配置され、導電性の材料により構成された外側導通部と、
を備えたことを特徴とする。
【００１１】
請求項６に記載の発明は、請求項１ないし５のいずれかに記載の画像形成装置において、
前記装着部に設けられた被干渉部と、
前記被装着部に設けられた干渉部であって、前記装着部が前記被装着部に装着される際に、前記装着部の前記被干渉部が前記干渉部に対応する位置である場合には、前記被干渉部が前記干渉部に嵌って前記装着部の前記被装着部への装着可能となると共に、前記被干渉部が前記干渉部と異なる位置である場合には、前記干渉部が前記被装着部に干渉して前記装着部の前記被装着部への装着が規制される前記干渉部と、
を備えたことを特徴とする。
【００１２】
請求項７に記載の発明は、請求項１ないし６のいずれかに記載の画像形成装置において、
前記操作部本体に支持される支持部と、前記支持部に支持される被装着部の本体と、を有する前記被装着部と、
前記被装着部の本体に設けられ、前記被装着部の本体の前記支持部からの離間を規制する離間規制部と、
を備えたことを特徴とする。
【００１３】
前記技術的課題を解決するために、請求項８に記載の発明の操作装置は、
操作者が操作可能な操作部を有する操作部本体と、
線状に延びる接続線の一端に支持されて前記操作部本体の外部に露出可能な一端側の端子部を有する接続部材に対して、前記一端側の端子部に支持された装着部が着脱可能に装着される装着部であって、前記操作部本体に支持された前記被装着部と、
を備えたことを特徴とする。
【発明の効果】
【００１４】
請求項１、８に記載の発明によれば、本発明の構成を有しない場合に比べて、操作部に端子を設置する作業の作業性を向上させつつ、低価格化することができる。
請求項２に記載の発明によれば、ガタつき除去部を有しない場合に比べて、一端側の端子部のガタつきを低減することができる。
請求項３に記載の発明によれば、本発明の構成を有しない場合に比べて、一端側の端子部における静電気の悪影響を低減することができる。
請求項４に記載の発明によれば、本発明の構成を有しない場合に比べて、ガタつきを低減しつつ導通する構成を共通化することができる。
【００１５】
請求項５に記載の発明によれば、外側導通部を有しない場合に比べて、一端側の端子部に対する悪影響を更に低減できる。
請求項６に記載の発明によれば、本発明の構成を有しない場合に比べて、装着部の被装着部に対する誤装着が低減できる。
請求項７に記載の発明によれば、離間規制部を有しない場合に比べて、装着部の装着不良や、装着部及び被装着部の破損が低減できる。
【図面の簡単な説明】
【００１６】
【図１】図１は本発明の実施例１の画像形成装置の斜視図である。
【図２】図２は実施例１の画像形成装置の縦断面図である。
【図３】図３は実施例１の画像形成装置の操作装置の説明図であり、図３Ａは平面図、図３Ｂは図３Ａの矢印ＩＩＩＢ方向から見た図、図３Ｃは図３Ｂにおいて端子カバーが開放された状態の説明図である。
【図４】図４は図３ＡのＩＶ−ＩＶ線断面図である。
【図５】図５は実施例１のＵＳＢ接続部の説明図であり、図５Ａは前方から見た図、図５Ｂは右斜め後方から見た斜視図である。
【図６】図６は実施例１の被装着部の説明図であり、図６Ａは右斜め上方から見た斜視図、図６Ｂは図６Ａの矢印ＶＩＢ方向から見た図、図６Ｃは図６Ｂの矢印ＶＩＣ方向から見た図、図６Ｄは図６Ｂの矢印ＶＩＤ方向から見た図、図６Ｅは図６ＤのＶＩＥ−ＶＩＥ線断面図、図６Ｆは図６ＤのＶＩＦ−ＶＩＦ線断面図である。
【図７】図７は実施例１の被装着部の説明図であり、図７Ａは図６Ｅの矢印ＶＩＩＡ方向から見た図、図７Ｂは被装着部の後端部分の要部拡大図である。
【図８】図８は実施例１の接続部材の説明図であり、図８Ａは平面図、図８Ｂは図８Ａの矢印ＶＩＩＩＢ方向から見た図、図８Ｃは図８Ｂの矢印ＶＩＩＩＣ方向から見た端子部分の要部説明図、図８Ｄは図８Ａの矢印ＶＩＩＩＤ方向から見た図である。
【図９】図９は実施例１の接続ケーブルがケーブル装着部に装着される過程の説明図であり、図９Ａは接続ケーブルの装着ボックスが装着筒から離れた状態の説明図、図９Ｂは接続ケーブルの装着ボックスが装着筒に挿入が開始された状態の説明図である。
【図１０】図１０は図９の続きの図であり、図１０Ａは図９Ｂに示す状態から装着ボックスが装着筒にさらに挿入された状態の説明図、図１０Ｂは装着ボックスが装着筒に装着完了した状態の説明図である。
【図１１】図１１は従来のＵＳＢ接続部の説明図である。
【発明を実施するための形態】
【００１７】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１８】
図１は本発明の実施例１の画像形成装置の斜視図である。
図２は実施例１の画像形成装置の縦断面図である。
図１において、本発明の実施例１の画像形成装置の一例としてのデジタル式の複写機Ｕは、媒体搬送装置の一例としての自動原稿搬送装置Ｕ１と、前記自動原稿搬送装置Ｕ１を支持する透明な原稿台の一例としてのプラテンガラスＰＧを上端に有する画像形成装置本体の一例としてのデジタル式の複写機本体Ｕ２とを有する。自動原稿搬送装置Ｕ１は、前記プラテンガラスＰＧ上面に着脱可能且つ図示しない回転軸を中心として上方に回転可能に装着されている。
【００１９】
図２において、前記自動原稿搬送装置Ｕ１は、媒体の一例としての複写しようとする原稿Ｇｉが収容される原稿供給部の一例としての原稿給紙トレイＴＧ1を有する。前記原稿給紙トレイＴＧ１に収容された複数の各原稿Ｇｉは、原稿送出部材の一例としての原稿ピックアップロールＲｇ１により取り出され、原稿分離部材の一例としての原稿捌きロールＲｇ２に搬送される。原稿捌きロールＲｇ２は、複数枚の原稿が搬送されてきた場合には１枚づつ分離して、媒体搬送路の一例としての原稿搬送路ＳＨ０を搬送されて、原稿捌きロールＲｇ２の下流側に配置された原稿搬送部材の一例としての原稿搬送ロールＲｇ３に搬送する。
【００２０】
原稿搬送ロールＲｇ３により下流側に搬送された原稿Ｇｉは、時期調整部材の一例としての原稿レジロールＲｇ４により一旦停止してから、予め設定された時期に前記プラテンガラスＰＧ上に設定された画像読取位置の一例としての原稿読込位置ＰＧ１に搬送される。
前記原稿読込位置ＰＧ１を通過した原稿Ｇｉは、原稿搬送部材の一例としての原稿搬送ローラＲｇ５、原稿排出部材の一例としての原稿排出ローラＲｇ６により、原稿排出部の一例としての原稿排紙トレイＴＧ２に排出される。
【００２１】
図２において、前記複写機本体Ｕ２は、操作装置の一例としてのユーザインタフェースＵＩと、前記プラテンガラスＰＧの下方に配置された画像読取部の一例としてのスキャナ部Ｕ２ａと、スキャナ部Ｕ２ａの下方に配置された画像記録部の一例としてのプリンタ部Ｕ２ｂとを有する。
上面に透明なプラテンガラスＰＧを有するスキャナ部Ｕ２ａの内部には、露光系基準位置の一例としてのプラテンレジ位置に配置された検出部材の一例としての露光系レジセンサＳｐと、露光光学系Ａとが配置されている。
【００２２】
前記露光光学系Ａは、左右方向に移動可能に支持されており、その移動および停止が露光系レジセンサＳｐの検出信号により制御され、常時は前記露光系レジセンサによって検出される初期位置の一例としてのホーム位置に停止している。
実施例１の自動原稿搬送装置Ｕ１を使用して複写を行う自動複写動作の場合は、前記露光光学系Ａはホーム位置に停止した状態で、プラテンガラスＰＧ上に設定された原稿読込位置ＰＧ１を順次通過する各原稿Ｇｉを露光する。
原稿Ｇｉを作業者が手でプラテンガラスＰＧ上に置いて複写を行う手動複写動作の場合、露光光学系Ａは右方に移動、すなわち、スキャンしながらプラテンガラスＰＧ上の原稿を露光走査する。
【００２３】
露光された前記原稿Ｇｉからの反射光は、前記露光光学系Ａを介して撮像素子の一例としての受像部ＣＣＤ上に収束される。前記受像部ＣＣＤは、その撮像面上に収束された原稿反射光を電気信号に変換する。
前記スキャナ部Ｕ２ａおよび自動原稿搬送装置Ｕ１により、実施例１の画像読取装置Ｕ１＋Ｕ２ａが構成されている。
【００２４】
また、受像部ＣＣＤからの信号は、画像処理部ＧＳに入力され、画像処理部ＧＳは、受像部ＣＣＤから入力された読込画像信号を読込画像情報の一例としてのデジタル画像データに変換して読込画像を作成、一時記憶し、デジタル画像データをプリンタ部Ｕ２ｂの書込駆動回路の一例としてのレーザ駆動回路ＤＬに出力する。
前記レーザ駆動回路ＤＬは、入力されたデジタル画像データに応じたレーザ駆動信号を潜像書込装置ＲＯＳに出力する。前記画像処理部ＧＳ、前記レーザ駆動回路ＤＬ、電源回路Ｅ等は、制御部の一例としてのコントローラＣにより作動を制御される。
【００２５】
前記潜像書込装置ＲＯＳの下方には、像保持体の一例として、矢印Ｙｐ方向に回転する感光体ドラムＰＲが配置されている。前記感光体ドラムＰＲ表面は、帯電領域Ｑ０において帯電部材の一例としての帯電ロールＣＲにより帯電された後、潜像書込位置Ｑ１において潜像書込装置ＲＯＳの潜像書込み光の一例としてのレーザビームＬにより露光走査されて静電潜像が形成される。
前記静電潜像が形成された感光体ドラムＰＲ表面は回転移動して現像領域Ｑ２、画像記録位置の一例としての転写領域Ｑ４を順次通過する。
【００２６】
前記現像領域Ｑ２において、静電潜像を可視像に現像する現像器Ｄは、現像剤保持体の一例としての現像ロールＲ０を有し、現像剤を現像ロールＲ０により現像領域Ｑ２に搬送し、前記現像領域Ｑ２を通過する感光体ドラムＰＲ表面の静電潜像を可視像の一例としてのトナー像Ｔｎに現像する。
前記転写領域Ｑ４において、感光体ドラムＰＲに対向する転写部材の一例としての転写ロールＴＲは、感光体ドラムＰＲ表面のトナー像Ｔｎを媒体の一例としてのシートＳに転写する転写電圧が電源回路Ｅから供給される。前記帯電ロールＣＲに印加する帯電電圧や、現像ロールＲ０に印加する現像電圧、転写ロールＴＲに印加する転写電圧、後述の定着装置Ｆの加熱ロールのヒータを加熱する電力を供給する電源回路Ｅは前記コントローラＣにより制御される。
【００２７】
複写機本体Ｕ１の下部には、媒体給紙部の一例としての第１給紙トレイＴＲ１および第２給紙トレイＴＲ２が上下に並んで配置されている。
前記各給紙トレイＴＲ１，ＴＲ２の左上端部には、取り出し部材の一例としてのピックアップロールＲｐが配置されており、ピックアップロールＲｐにより取り出されたシートＳは、給紙トレイＴＲ１，ＴＲ２の左側部分では上下に延び、給紙トレイＴＲ１の上側部分では水平に延びる媒体搬送路の一例としての給紙路ＳＨ１に搬送される。
【００２８】
給紙路ＳＨ１の上下に延びる部分である給紙トレイＴＲ１，ＴＲ２の右側部分には、捌き部材の一例としての捌きロールＲｓが配置されている。捌きロールＲｓは、シートＳを搬送する搬送部材の一例としてのフィードロールＲｓ1と、シートＳを停止させて分離する分離部材の一例としてのリタードロールＲｓ2とを有する。ピックアップロールＲｐにより捌きロールＲｓにシートＳが複数枚重なって搬送された場合、フィードロールＲｓ１が接触するシートＳを下流側に送ると共に、リタードロールＲｓ２が重なったシートＳを停止させることで１枚づつ分離されて、給紙路ＳＨ１に搬送される。給紙路ＳＨ１の上下に延びる部分の上端部には、正逆回転可能な搬送部材の一例としての搬送ロールＲｂが配置されている。給紙路ＳＨ１に搬送された前記シートＳは正逆転回転可能な搬送ロールＲｂの正回転により上方に搬送され、後述するシート反転接続路ＳＨ５との分岐路に配置された搬送切替部材の一例としての第１のゲートＧＴ１により、給紙路ＳＨ１の水平に延びる部分である第１給紙トレイＴＲ１の上側部分を通って、媒体搬送路の一例としての上流側シート搬送路ＳＨ２に搬送される。
【００２９】
上流側シート搬送路ＳＨ２に搬送されたシートＳは、媒体搬送部材の一例としての搬送ロールＲａにより、送出し時期調整部材の一例としてのレジロールＲｒに搬送される。前記レジロールＲｒに搬送されたシートＳは、感光体ドラムＰＲ表面のトナー像Ｔｎが転写領域Ｑ４に移動する時期に合わせて、案内部材の一例としての転写前シートガイドＳＧ1から転写領域Ｑ４に搬送される。
前記感光体ドラムＰＲ表面のトナー像Ｔｎは、前記転写領域Ｑ４において、転写ロールＴＲによりシートＳに転写される。転写された後の感光体ドラムＰＲ表面は、清掃器の一例としての感光体クリーナＣＬ1によりクリーニングされて残留トナーが除去され、序伝部材の一例としての感光体除電器ＪＬにより除電されてから、前記帯電ロールＣＲにより再帯電される。
前記感光体ドラムＰＲ、帯電ロールＣＲ、潜像書込装置ＲＯＳ、現像装置Ｄ、転写ロールＴＲ、感光体クリーナＣＬ1、感光体除電器ＪＬ等により画像記録部材ＰＲ＋ＣＲ＋ＲＯＳ＋Ｄ＋ＴＲ＋ＣＬ1＋ＪＬが構成されている。
【００３０】
前記転写領域Ｑ４のシート搬送方向下流側には、転写領域Ｑ４でトナー像が転写されたシートＳが搬送される媒体搬送路の一例としての下流側搬送路ＳＨ３が設けられている。前記下流側搬送路ＳＨ３には、案内部材の一例としてのシートガイドＳＧ2や、媒体搬送部材の一例としてのシート搬送ベルトＢＨ、定着装置Ｆが配置されている。
前記転写領域Ｑ４において転写ロールＴＲによりトナー像が転写された前記シートＳは、感光体ドラムＰＲ表面から剥離され、下流側搬送路ＳＨ３のシートガイドＳＧ2、シート搬送ベルトＢＨにより定着装置Ｆに搬送される。
【００３１】
前記定着装置Ｆは、互いに接触して回転する加熱定着部材の一例としての加熱ロールＦｈおよび加圧定着部材の一例としての加圧ロールＦｐとを有しており、それらの接触領域により定着領域Ｑ５が形成されている。前記定着装置Ｆの加熱ロールＦｈ内部には、図示しない発熱体の一例としてのヒータが内蔵されており、定着装置Ｆは定着領域Ｑ５を通過する記録シートＳ上の未定着トナー像を加熱定着する。
トナー像が加熱定着されたシートＳは、媒体搬送路の一例としてのシート排出路ＳＨ４を通って、媒体排出部の一例としての排紙トレイＴＲｈに搬送される。
【００３２】
前記シート排出路ＳＨ４には、前記定着装置Ｆの下流側に搬送切替部材の一例としての第２のゲートＧＴ２が配置されている。第２のゲートＧＴ２は、前記定着装置Ｆを通過したシートＳの搬送方向を排紙トレイＴＲｈ側またはシート反転接続路ＳＨ５のいずれかの方向に切り替える。シート反転用接続路ＳＨ５は、前記シート排出路ＳＨ４の定着装置Ｆの下流側部分と前記給紙路ＳＨ１とを接続する。定着装置Ｆを通過して１面のトナー像が定着された１面目画像記録済の記録シートＳは、前記シート反転用接続路ＳＨ５に搬送された場合、シート反転用接続路ＳＨ５と給紙路ＳＨ１との接続部に配置された第１のゲートＧＴ１を下方に通過して搬送ロールＲｂの逆回転により前記給紙路ＳＨ１を下方に搬送される。前記シートＳの後端が第１のゲートＧＴ１を通過すると、搬送ロールＲｂが正回転することにより、搬送方向が逆転、いわゆるスイッチバックして上方に搬送される。前記スイッチバックして上方に搬送された記録シートＳは、第１のゲートＧＴ１により、給紙路ＳＨ１および上流側シート搬送路ＳＨ２を順次搬送されて前記レジロールＲｒに再送され、前記転写領域Ｑ４を通過する際に２面目に画像が転写される。
【００３３】
（ユーザインタフェースの説明）
図３は実施例１の画像形成装置の操作装置の説明図であり、図３Ａは平面図、図３Ｂは図３Ａの矢印ＩＩＩＢ方向から見た図、図３Ｃは図３Ｂにおいて端子カバーが開放された状態の説明図である。
図１において、実施例１の操作装置の一例としてのユーザインタフェースＵＩは、スキャナ部Ｕ２ａの前端に支持されている。図１、図３において、ユーザインタフェースＵＩは、操作部本体の一例として、上面１がスキャナ部Ｕ２ａの前端から前方に行くに連れて下方に突出するＵＩ本体２を有する。ＵＩ本体２の上面１には、表示部の一例であって操作部の一例として、情報が表示されると共に操作者が指を触れて入力が可能な表示パネル３が支持されている。表示パネル３の左右両側には、操作部の一例として、複数の入力ボタン４が配置されている。
【００３４】
前記ＵＩ本体２の左端部には、スキャナ部Ｕ２ａで読み取られる原稿Ｇｉが綴じられている場合に、原稿Ｇｉを綴じる部材、例えば、クリップやステープル針を置いておく綴じ部材の収容部６が形成されている。綴じ部材の収容部６の右方には、外部接続部の一例として、上面１に対して凹んで形成されたＵＳＢ接続部７が配置されている。図３Ｃにおいて、前記ＵＳＢ接続部７には、開閉部材の一例として、上端に配置された図示しない回転軸を中心として回転可能に支持された保護カバー８が支持されており、保護カバー８は、図３Ｂに示すＵＳＢ接続部７を閉塞する閉塞位置と、図３Ｃに示すＵＳＢ接続部７を外部に露出させる露出位置と、の間で移動可能に支持されている。
【００３５】
図４は図３ＡのＩＶ−ＩＶ線断面図である。
図４において、実施例１のＵＩ本体２は、枠体の一例として、板金製のフレーム本体Ｆ１を有する。フレーム本体Ｆ１は、下部で前後方向に延びる底壁部Ｆ１ａと、後端で上下方向に延びる後壁部Ｆ１ｂと、を有し、後壁部Ｆ１ｂには、開口Ｆ１ｃが形成されている。前記底壁部Ｆ１ａの下面には、樹脂製のＵＩ底壁Ｆ２が支持され、底壁部Ｆ１ａの上方及び後壁部Ｆ１ｂの前方には、内側の枠体の一例としての内側フレームＦ３が支持されている。内側フレームＦ３には、開口Ｆ１ｃに対応して後端に開口Ｆ３ａが形成されている。
また、内側フレームＦ３の前後方向中央部の底面には、固定支持部の一例として、上方に突出するネジ止め部Ｆ３ｂが形成されている。内側フレームＦ３の上方には、内側フレームＦ３の上面を覆うようにＵＩカバーＦ４が支持されている。前記ＵＩカバーＦ４の上面１には、前記ＵＳＢ接続部７が形成されている。
【００３６】
（ＵＳＢ接続部）
図５は実施例１のＵＳＢ接続部の説明図であり、図５Ａは前方から見た図、図５Ｂは右斜め後方から見た斜視図である。
図６は実施例１の被装着部の説明図であり、図６Ａは右斜め上方から見た斜視図、図６Ｂは図６Ａの矢印ＶＩＢ方向から見た図、図６Ｃは図６Ｂの矢印ＶＩＣ方向から見た図、図６Ｄは図６Ｂの矢印ＶＩＤ方向から見た図、図６Ｅは図６ＤのＶＩＥ−ＶＩＥ線断面図、図６Ｆは図６ＤのＶＩＦ−ＶＩＦ線断面図である。
図７は実施例１の被装着部の説明図であり、図７Ａは図６Ｅの矢印ＶＩＩＡ方向から見た図、図７Ｂは被装着部の後端部分の要部拡大図である。
前記ＵＳＢ接続部７は、ＵＩ本体２の上面１を構成する外装カバーの内部に、ＵＩ本体２の図示しない枠体の一例としてのフレームに支持されている。図３〜図７において、実施例１のＵＳＢ接続部７は、被装着部の一例として、ＵＩ本体２に固定されるケーブル装着部１１を有する。ケーブル装着部１１は、固定部本体の一例として、ＵＩ本体２のフレームに図示しない螺子で固定支持されるブラケット部１２を有する。ブラケット部１２は、板体がＵＩ本体２のフレームの形状に応じて折り曲げられた形状に形成されており、下端部には、前記ネジ止め部Ｆ３ｂに対応して貫通孔１２ａが形成されており、図３に示すように、ネジＦ５を介して内側フレームＦ３にネジ止めされる。また、ブラケット部１２の上端部には、支持部の一例として、水平方向に延びる筒支持部１３が形成されている。
【００３７】
図５、図６において、前記筒支持部１３の前端には、外側導通部の一例として、上方に延びる板状の前端アース板１４が形成されており、前端アース板１４の中央部には、開口１４ａが形成されている。前記開口１４ａは、記憶媒体の一例としてのＵＳＢメモリ等の操作者が画像形成装置に接続する部材の端子部分が通過可能な大きさに形成されている。
図７において、前記筒支持部１３の後端部には、離間規制用の支持部の一例として、上下方向に貫通する左右一対の爪掛け口１６が形成されている。
図６Ｅ、図７Ｂにおいて、筒支持部１３の後端部には、干渉部の一例として、上方に突出する突起状の干渉凸部１７が形成されている。
【００３８】
図５〜図７において、前記筒支持部１３の上面には、被装着部の本体の一例として、前後方向に延びる角筒状の装着筒２１が支持されている。実施例１の装着筒２１は、上壁部２２と、上壁部２２の左右両端から下方に延びる左右一対の側壁部２３，２４と、各側壁部２３，２４の下端から左右方向の外方に延びる被固定部の一例としてのネジ固定部２６，２７と、を有する。前記ネジ固定部２６，２７には、上下方向に貫通する貫通孔２６ａ，２７ａが形成されており、貫通口２６ａ，２７ａを貫通するネジ２８により、装着筒２１は筒支持部１３にネジ止めされている。
前記上壁部２２および側壁部２３，２４の前後方向の中央部には、ガタつき除去部の一例であって、装着接触部の一例としての爪部３１が形成されている。各爪部３１は、後端の基端部から前方に延びる板状に形成された弾性変形可能な板バネ部３１ａを有し、先端である前端が装着筒２１の内側に進入した形状に形成されている。
【００３９】
また、前記上壁部２２の後端には、装着保持部の一例として、後方に延び且つ弾性変形可能な板バネ状のラッチ部３２が形成されている。前記ラッチ部３２の後端部には、下方に突出するラッチ突起３２ａが形成されている。
図６Ｆ、図７において、各側壁部２３,２４の後部には、爪掛け口１６に対応して、左右方向の内側に延びる板状の規制支持部２３ａ，２４ａが形成されている。規制支持部２３ａ，２４ａの後端には、離間規制部の一例として、爪掛け口１６を下方に貫通して規制支持部２３ａ，２４ａとの間で、筒支持部１３を挟み込んだ状態で爪掛け口１６に引っ掛かる浮き防止爪２３ｂ，２４ｂが形成されている。
なお、実施例１のケーブル装着部１１は、全体が導電性材料の一例としての鉄により構成されており、ＵＩ本体２と電気的に接続された状態で支持されている。
【００４０】
（接続ケーブルの説明）
図８は実施例１の接続部材の説明図であり、図８Ａは平面図、図８Ｂは図８Ａの矢印ＶＩＩＩＢ方向から見た図、図８Ｃは図８Ｂの矢印ＶＩＩＩＣ方向から見た端子部分の要部説明図、図８Ｄは図８Ａの矢印ＶＩＩＩＤ方向から見た図である。
図５、図８において、前記ケーブル装着部１１には、接続部材の一例としての接続ケーブル３６が支持されている。
実施例１の接続ケーブル３６は、接続線の一例として、線状のケーブル本体３７と、ケーブル本体３７の一端に支持された一端側の端子部の一例としての外部接続端子部３８と、ケーブル本体３７の他端側に支持された他端側の端子部の一例としての内部接続端子部３９とを有する。
【００４１】
実施例１のケーブル本体３７は、ＵＳＢ規格に準拠した従来公知のＵＳＢケーブルにより構成されており、前記内部接続端子部３９は、ＵＳＢ規格に準拠する従来公知のＵＳＢ端子により構成されている。なお、実施例１の内部接続端子３９は、ＵＳＢ  Ａオス型の端子により構成されており、プリンタ部Ｕ２ｂのコントローラＣの図示しない回路基板上に設けられた端子接続部の一例としてのＵＳＢ  Ａメス型の端子に接続可能に構成されている。
実施例１の外部接続端子部３８は、図８Ｄに示すように、ＵＳＢ規格に準拠する従来公知のＵＳＢ  Ａメス型の端子に対応する形状に形成されている。したがって、外部接続端子部３８の前端部には、導電部の一例として、導電材料の金属により構成された角筒状の
金属シールド３８ａが設けられている。
【００４２】
前記外部接続端子部３８には、装着部の一例として、外周を覆うように前後方向に延びる角筒状の装着ボックス４１が支持されている。実施例１の装着ボックス４１は、外形が装着筒２１の内部に収容可能な大きさに形成されており、外部接続端子部３８が内側にカシメられた状態で固定支持されている。なお、実施例１の装着ボックス４１は、導電材料の一例としての鉄により構成されており、導電性を有する構成となっている。
装着ボックス４１は、上端の上板部４２と、左右両側の左板部４３および右板部４４と、下端の下板部４６と、を有する。
【００４３】
前記上板部４２の後端部には、前記ラッチ部３２に対応して形成されて、前記ラッチ突起３２ａが嵌ることが可能なラッチ孔４２ａが形成されている。
図８Ｃにおいて、前記下板部４６の左右方向中央部には、被干渉部の一例として、干渉凸部１７に対応する位置に配置され且つ前後方向に延びる被干渉溝４７が形成されている。
また、前記被干渉溝４７の前部には、端子接触部の一例として、前記爪部３１と同様に板バネ状に構成され且つ前記金属シールド３８ａに予め設定された圧力で接触する端子導電爪４８が形成されている。
【００４４】
（実施例１の作用）
前記構成要件を備えた実施例１の複写機Ｕでは、ユーザインタフェースＵＩに配置された外部接続端子３８に、写真等の画像情報や文書情報等の印刷対象の情報が記憶されたＵＳＢメモリを接続可能となっており、接続されたＵＳＢメモリの情報をプリンタ部Ｕ２ｂで印刷することが可能になっている。
組み立て時やユーザインタフェースの故障等に伴って、スキャナ部Ｕ２ａに対してユーザインタフェースＵＩが着脱、交換される場合がある。スキャナ部Ｕ２ａにユーザインタフェースＵＩが装着される際に、ＵＩ本体２のケーブル装着部１１の装着筒２１に対して、プリンタ部Ｕ２ｂに内部接続端子部３９が接続されて、プリンタ部Ｕ２ｂから延びる接続ケーブル３６の外部接続端子部３８が後方から装着される。
【００４５】
このとき、実施例１のケーブル装着部１１および装着ボックス４１には、それぞれ、干渉凸部１７および被干渉溝４７が形成されており、装着ボックス４１がケーブル装着部１１に装着される際に、装着ボックス４１の姿勢が正しく、被干渉溝４７と干渉凸部１７が対応している場合には、被干渉溝４７と干渉凸部１７が嵌って干渉せず、装着ボックス４１が装着筒２１の内部に向けて移動可能となる。すなわち、接続ケーブル３６とケーブル装着部１１とが装着可能になる。一方、装着ボックス４１が上下逆の状態のように、装着筒２１対する装着ボックス４１の姿勢が正しくない場合、干渉凸部１７が装着ボックス４１の上板部４２等に接触して干渉し、装着ボックス４１が装着筒２１に装着不能となる。したがって、接続ケーブル３６を間違った方向に取り付けることが低減されており、誤装着、誤組み立てが低減されている。
【００４６】
図９は実施例１の接続ケーブルがケーブル装着部に装着される過程の説明図であり、図９Ａは接続ケーブルの装着ボックスが装着筒から離れた状態の説明図、図９Ｂは接続ケーブルの装着ボックスが装着筒に挿入が開始された状態の説明図である。
図１０は図９の続きの図であり、図１０Ａは図９Ｂに示す状態から装着ボックスが装着筒にさらに挿入された状態の説明図、図１０Ｂは装着ボックスが装着筒に装着完了した状態の説明図である。
図９において、ケーブル装着部１１の装着筒２１に対して接続ケーブル３６の装着ボックス４１が挿入される場合、図９Ｂ、図１０Ａに示すように、装着ボックス４１の上板部４２がラッチ部３２を上方に弾性変形させながら前方に移動する。このとき、実施例１の装着ボックス４１は、下側に上方に凹んだ被干渉溝４７が形成されており、被干渉溝４７が形成されていない場合に比べて、下板部４６と筒支持部１３との接触面積が低減されている。したがって、接続ケーブル３６の装着ボックス４１を装着筒２１に挿入する際の摩擦抵抗が低減されており、着脱作業に必要な力が少なくて済み、着脱作業が容易になっている。
【００４７】
そして、図９Ｂ、図１０Ａに示すように装着ボックス４１が前方に移動して、図５、図１０に示すように、装着ボックス４１が装着筒２１の内部に収容されて装着が完了する。装着が完了した状態では、装着ボックス４１のラッチ孔４２ａがラッチ部３２に対応する位置に移動しており、ラッチ部３２が弾性復元して、装着ボックス４１が装着筒２１に対して移動不能な状態で保持される。
したがって、実施例１のユーザインタフェースＵＩでは、後方から接続ケーブル３６を挿入するだけで、ケーブル装着部１１に装着可能であり、ユーザインタフェースＵＩと画像形成装置の本体Ｕ２との接続作業が容易になっている。
【００４８】
図１１は従来のＵＳＢ接続部の説明図である。
図１１において、従来のＵＳＢ接続部の構成では、ＵＩ本体２のフレームＦ３に対して、接続端子部０１がネジ０２を介して着脱可能に支持されている。そして、接続端子部０１は、ＵＩ本体２の上面１に沿って、階段状に折り曲げられて形成された端子支持板金０１ａと、端子支持板金０１ａの上端に支持されて利用者がＵＳＢメモリ等を着脱する外部接続端子０１ｂと、端子支持板金０１ａの下端に支持されて外部接続端子０１ｂと同様にＵＳＢ  Ａメス型の端子により構成された内部接続端子０１ｃと、外部接続端子０１ｂと内部接続端子０１ｃとを接続する内部接続ケーブル０１ｄと、を有している。前記内部接続端子０１ｃには、プリンタ部のコントローラに接続された市販の汎用のＵＳＢケーブル０３が装着されており、外部接続端子０１ｂとコントローラとが接続されている。
【００４９】
従来の構成では、ＵＳＢの外部接続端子０１ｂに対して、ＵＳＢメモリ等が装着される限界の回数、いわゆる、外部接続端子０１ｂの寿命が、複写機Ｕの製品寿命に対して短く、外部接続端子０１ｂの部分のみを交換可能な構成とすることが望ましかった。したがって、ネジ０２を介して接続端子部０１のみが、ＵＩ本体２に対して着脱、交換可能な構成となっていた。しかしながら、この従来の構成では、部品点数が多く、費用がかかる問題があった。また、図１１に示すように、内部接続端子０１ｃの位置が、後壁部Ｆ１ｂの開口Ｆ１ｃに対して、奥に配置されており、ＵＳＢケーブル０３を着脱する際に、作業者が指を奥まで入れる必要があり、作業が面倒であった。
これに対して、近年の技術の進歩に伴って、外部接続端子３８の寿命が延び、複写機Ｕの製品寿命と同等以上になったことも相まって、実施例１では、ＵＩ本体２に配置された装着筒２１に対して、接続ケーブル３６を装着する構成が採用されており、構成が簡素になると共に、部品点数が少なくなって、費用が低減されている。また、構成が簡素になったことに伴って、装着筒２１が後壁部Ｆ１ｂの近くに配置されており、接続ケーブル３６の装着作業時に、指を奥まで入れる必要が無くなり、作業が容易になっている。
【００５０】
また、装着ボックス４１が装着筒２１に装着された状態では、装着筒２１の各爪部３１が、装着ボックス４１の上板部４２、左板部４３および右板部４４に接触する。したがって、装着ボックス４１と装着筒２１とが電気的に接続され、これに伴って、端子導電爪４８を介して、ケーブル装着部１１と外部接続端子部３８とが電気的に接続される。したがって、ＵＳＢメモリ等を複写機Ｕの利用者が外部接続端子部３８に着脱する際に、静電気等が流れても、接続ケーブル３６やユーザインタフェースＵＩ等に悪影響を及ぼすことなく接地、すなわちアースしたり放電させたりすることが可能になっている。
また、このとき、実施例１の各爪部３１は、板バネ部３１ａを有しており、装着ボックス４１に接触して撓んだ板バネ部３１ａの弾性力に応じた圧力が作用した状態で接触する。したがって、板バネ部３１ａを有しない場合に比べて、装着筒２１に対して装着ボックス４１のガタツキが低減されると共に、電気的な接続も安定しやすく、ＵＳＢメモリの着脱時の外力や複写機Ｕ１の作動時の振動等が作用した場合でも、位置ずれや電気的な接続が切断されることが低減される。
【００５１】
特に、実施例１の端子導電爪４８は被干渉溝４７に形成されており、被干渉溝４７に収容された状態となっている。仮に、端子導電爪４８が、上板部４２等に形成されている場合、金属シールド３８ａに接触して外側に膨らむように弾性変形した端子導電爪４８が上板部４２の外表面よりも外側に飛び出す可能性がある。この場合、装着ボックス４１を装着筒２１に装着する際に、端子導電爪４８が装着筒２１に引っ掛かる恐れがあり、金属シールド３８ａとの導通が不安定になったり、装着筒２１が破損等する恐れがある。これに対して、実施例１では、端子導電爪４８が上方に凹んだ被干渉溝４７に配置されており、被干渉溝４７の左右外側の部分が筒支持部１３の上面に接触した状態では、干渉凸部も端子導電爪４８に接触しないように長さが設定されており、端子導電爪４８が引っ掛かることが低減されている。
【００５２】
さらに、実施例１では、図５に示すように、外部接続端子部３８の前方に前端アース板１４が配置されており、前端アース板１４は筒支持部１３に一体的に形成されている。したがって、ＵＳＢメモリ等を着脱する場合や利用者が外部接続端子部３８の近傍に触れることがあっても、外部接続端子３８の金属シールド３８ａに触れる前に前端アース板１４に触れて静電気等が流れやすくなっている。したがって、前端アース部１４を設けない場合に比べて、接続ケーブル３６等に対する静電気の悪影響が低減されている。なお、実施例１の前端アース板１４は、前方から見た状態で、外部接続端子部３８を囲むように配置されており、開口１４ａから外部接続端子部３８が露出するように配置されている。したがって、外部接続端子部３８の周囲の部材等が露出して利用者の目に触れることが低減されており、美観も向上している。
【００５３】
また、実施例１では、装着筒２１が、浮き防止爪２３ｂ，２４ｂを介して筒支持部１３に支持されており、装着筒２１が筒支持部１３に対して離間する方向、すなわち、上方に浮くように移動することが規制されている。接続ケーブル３６の装着時に、接続ケーブル３６の後方からの挿入に伴って、作業者の力の入れ方によっては、上方に浮く方向の力が作用することがある。浮き防止爪２３ｂ，２４ｂが設けられていない場合、装着筒２１が上方に浮いてしまうと、外部接続端子部３８の位置がずれたり、外部接続端子部３８が破損等する恐れがあるが、実施例１では、装着筒２１の浮きが規制されており、位置ずれや破損等が低減されている。
【００５４】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ09）を下記に例示する。
（Ｈ01）前記各実施例において、画像形成装置の一例として複写機Ｕを例示したが、これに限定されず、プリンタ、ＦＡＸ、あるいはこれら複数の機能を備えた複合機等に適用可能である。また、単色の画像形成装置に限定されず、多色の画像形成装置にも適用可能である。
（Ｈ02）前記実施例において、接続端子３８，３９としてＵＳＢ規格の端子を例示したが、これに限定されず、外部の機器を接続するための端子であれば、任意の端子を採用可能である。例えば、ＩＥＥＥ１３９４規格の端子や、ＩＥＥＥ８０２規格の端子、携帯電話機、携帯型の情報端末、デジタルカメラ等を接続するための独自規格の端子等、任意の端子とすることが可能である。
【００５５】
（Ｈ03）前記実施例において、保護カバー８は設けることが望ましいが、省略することも可能である。
（Ｈ04）前記実施例において、外部接続端子３８は、ユーザインタフェースＵＩの上面１に対して凹んだ状態で設ける構成が望ましいが、これに限定されず、ユーザインタフェースＵＩの上面や下面、前面、左右両側面等の任意の位置に配置することも可能である。また、ユーザインタフェースに設けることが望ましいが、プリンタ部Ｕ２ｂやスキャナ部Ｕ２ａ、自動原稿搬送装置Ｕ１等の外表面に設けることも可能である。
【００５６】
（Ｈ05）前記実施例において、装着ボックス４１に端子接触部の一例としての端子導電爪４８を設けたり、装着接触部の一例としての爪部３１を設ける構成を例示したが、形状や位置、個数等については、例示した構成に限定されず、導電が可能な任意の構成を採用可能である。また、導電可能な構成を採用することが望ましいが、省略することも可能である。
（Ｈ06）前記実施例において、爪部３１により装着ボックス４１のガタを低減する構成を例示したが、これに限定されず、バネやゴム等の弾性部材を使用してガタを低減する構成等、任意の構成を採用可能である。また、ガタを低減する構成を採用することが望ましいが、省略することも可能である。さらに、爪部３１に例示するように、ガタを低減する構成と、導通させる構成を共通化させることが望ましいが、共通化させず、別々の構成を個別に設けることも可能である。
【００５７】
（Ｈ07）前記実施例において、外側導通部の一例としての前アース板１４を設ける構成を例示したが、板状の構成に限定されず、任意の構成を採用可能であるし、省略することも可能である。
（Ｈ08）前記実施例において、離間規制部の一例として、浮き防止爪２３ｂ、２４ｂを設ける構成を例示したが、形状や個数、位置等は設計や仕様等に応じて任意に変更可能である。また、浮き防止爪２３ｂ、２４ｂは設けることが望ましいが、省略することも可能である。
（Ｈ09）前記実施例において、装着筒２１や装着ボックス４１の形状は角筒状の構成を例示したが、これに限定されず、任意の形状とすることが可能である。
【符号の説明】
【００５８】
２…操作部本体、
３，４…操作部、
１１…被装着部、
１３…支持部、
１４…外側導通部、
１７…干渉部、
２１…被装着部の本体、
２３ｂ，２４ｂ…離間規制部、
３１…ガタつき除去部，装着接触部、
３６…接続部材、
３７…接続線、
３８…一端側の端子部、
３８ａ…導電部、
３９…他端側の端子部、
４１…装着部、
４７…被干渉部、
４８…端子接触部、
Ｓ…媒体、
Ｕ…画像形成装置、
Ｕ２…画像形成装置の本体、
ＵＩ…操作装置。
【図１】
2012123067.tif 000003
【図２】
2012123067.tif 000004
【図３】
2012123067.tif 000005
【図４】
2012123067.tif 000006
【図５】
2012123067.tif 000007
【図６】
2012123067.tif 000008
【図７】
2012123067.tif 000009
【図８】
2012123067.tif 000010
【図９】
2012123067.tif 000011
【図１０】
2012123067.tif 000012
【図１１】
2012123067.tif 000013